(57)【要約】【課題】リーダーブロックの適正な収納動作を確保できるテープカートリッジを提供する。【解決手段】本発明に係るテープカートリッジ１０は、上シェル１１と下シェル１２とを結合することにより形成されテープ引出し用の開口部３５を備えたカートリッジケース１３と、このカートリッジケース１３内に回転自在に収容されテープ２０を巻装したテープリール１４と、カートリッジケース１３内方の収納部３７に上記開口部３５を閉塞するように配置され、テープリール１４に巻装されたテープ２０の一端と接続されたリーダーブロック３２と、このリーダーブロック３２を上記収納部３７に着脱自在に保持する第１，第２バネ部材４１，４２を備え、第２バネ部材４２は、下シェル１２の規制壁部３７ｗｃの縁部３７ｕに係合する係合部４２ｄを有し、これら規制壁部３７ｗｃと係合部４２ｄとにより弾接部４２ｂの上記収納部３７側への突出量を規制する規制手段を構成する。【選択図】図８
2008140470.tif 000002
【特許請求の範囲】
【請求項１】
上シェルと下シェルとを結合することにより形成されテープ引出し用の開口部を備えたカートリッジケースと、このカートリッジケース内に回転自在に収容されテープを巻装したテープリールと、前記カートリッジケース内方の収納部に前記開口部を閉塞するように配置され、前記テープリールに巻装されたテープの一端と接続されたリーダーブロックと、このリーダーブロックを前記収納部に着脱自在に保持するバネ部材とを備えたテープカートリッジであって、
前記バネ部材の前記収納部側への突出量を規制する規制手段を備えた
ことを特徴とするテープカートリッジ。
【請求項２】
前記バネ部材は、
前記上シェルに取り付けられ前記リーダーブロックの上面に弾接する第１バネ部材と、
前記下シェルに取り付けられ前記リーダーブロックの一側面に弾接する第２バネ部材とからなり、
前記規制手段は、前記第２バネ部材の前記収納部側への突出量を規制する
ことを特徴とする請求項１に記載のテープカートリッジ。
【請求項３】
前記規制手段は、
前記バネ部材の一部を構成する係合部と、
前記カートリッジケースの内面に立設され前記係合部と係合して前記バネ部材の前記収納部側への突出量を規制する規制壁部とからなる
ことを特徴とする請求項１に記載のテープカートリッジ。
【請求項４】
前記バネ部材は、
前記カートリッジケースの内面に固定される第１の端部と、
前記係合部が形成される第２の端部と、
前記第１の端部と前記第２の端部の間に折り曲げ形成されてなり、前記収納部の内方に突出する弾接部とを有する
ことを特徴とする請求項３に記載のテープカートリッジ。
【発明の詳細な説明】
【技術分野】
【０００１】
本発明は、磁気テープ又はクリーニングテープを巻装したテープリールをカートリッジケース内部に有するテープカートリッジに関し、更に詳しくは、カートリッジケースの内部において、テープの一端に接続されたリーダーブロックを安定に保持することができる構造のテープカートリッジに関する。
【背景技術】
【０００２】
例えば従来より、テープ状記録媒体としての磁気テープが巻装された単一のテープリールを収容したテープカートリッジから、磁気テープを引き出して情報の記録、再生を行う記録再生装置が知られている。この種の記録再生装置は、コンピュータサーバー等の大量のデータを扱うシステムのデータバックアップに多用されている。
【０００３】
上記のテープカートリッジには種々のタイプのものがあり、例えば、磁気テープの一端に接続されたリーダーブロックがカートリッジケース内に配置されたものが知られている。なお、このタイプのテープカートリッジは、例えば下記特許文献１に開示されている。
【０００４】
リーダーブロックを備えたテープカートリッジは、記録再生装置（テープドライブ装置）に装着されると、リーダーブロックがチャッキング機構によりチャッキングされた後、搬送機構により引き出され、記録再生装置の巻取リールまで搬送される。テープカートリッジから引き出された磁気テープは、記録再生装置の巻取リールに巻き取られながら、記録再生装置の磁気ヘッドにより情報の記録あるいは再生が行われる。
【０００５】
さて、カートリッジケース内部におけるリーダーブロックの位置決めは、記録再生装置内部でのリーダーブロックの適正なチャッキング作用を確保する上で非常に重要である。また、カートリッジケースからリーダーブロックが脱落した場合には、テープのエッジ部とテープリールの上下フランジ外周部分との接触によりテープが損傷して、テープ切れや適正な記録再生動作ができなくなるという問題が発生する。
【０００６】
従来のテープカートリッジにおけるリーダーブロックの位置決め保持は、例えば下記特許文献１においては図９Ａ，Ｂに示すようにして行われている。図９Ａは、従来のテープカートリッジにおけるリーダーブロックの収納部を示す平面図、図９Ｂはその要部側断面図である。
【０００７】
図９Ａに示すように、リーダーブロック１０３は、カートリッジケース１０１のコーナー部に設けられたテープ引出し用の開口部１０２を閉塞するように、カートリッジケース１０１の内部に位置決め保持されている。カートリッジケース１０１は、上シェル１０４と下シェル１０５との結合体からなり、リーダーブロック１０３の位置決めは、上シェル１０４の内面に取り付けられた第１バネ部材１１１と、下シェル１０５の内面に取り付けられた第２バネ部材１１２によって行われている。第１バネ部材１１１は、図９Ｂに示すように、一端が上シェル１０４に固定され、他端がリーダーブロック１０３の上面の凹部１０３ａに係合する板バネ部材で構成されている。第２バネ部材１１２は、図９Ａに示すように、一端が下シェル１０５に固定され、他端がリーダーブロック１０３の一側面に弾接する板バネ部材で構成されている。
【０００８】
リーダーブロック１０３は、カートリッジケース１０１の開口部１０２を内方から閉塞するようにして、テープリール１０６の収容位置外周に形成されているリブ構成体１０７で区画された収納部１０８（図１０）に収納されている。この収納部１０８には、リーダーブロック１０３の下面と係合し第１バネ部材１１１と協働してリーダーブロック１０３を上下方向から挟むための凸部１０９が形成されている（図１０）。
【０００９】
図１０は、記録再生装置のチャッキング機構によってリーダーブロック１０３がカートリッジケース１０１から引き出された状態を示す要部平面図である。記録再生装置にテープカートリッジが装着されると、上記チャッキング機構は、カートリッジケース１０１の収納部１０８に位置決め保持されたリーダーブロック１０３に係合して、リーダーブロック１０３を開口部１０２からカートリッジケース１０１の外方へ引き出す。これと同時に、テープリール１０６が回転して磁気テープ１１０を記録再生装置へ繰り出し、磁気テープ１１０に対する所定の記録再生動作が行われる。
【００１０】
一方、記録再生装置からテープカートリッジが取り出される際は、テープリール１０６が磁気テープ１１０を巻き取る方向に回転させることで、磁気テープ１１０及びリーダーブロック１０３をカートリッジケース１０１の内部に収容する。このとき、リーダーブロック１０３は、開口部１０２に進入した後、リブ構成体１０７によるガイド作用を受けて収納部１０８に到達し、第１バネ部材１１１と凸部１０９との間に弾性的に挟持されるとともに、第２バネ部材１１２とリブ構成体１０７との間に弾性的に挟持されることで、収納部１０８内に位置決め保持される。
【００１１】
【特許文献１】特開２００４−８６９３１号公報
【発明の開示】
【発明が解決しようとする課題】
【００１２】
上述のように、カートリッジケース内部におけるリーダーブロックの位置決め保持に際してバネ部材を用いるテープカートリッジにおいては、バネ部材の弾性力の大きさによってリーダーブロックの位置決め保持性が設定される。このため、バネ部材は、所定のバネ定数を備えた材料で形成されるのは勿論、あらかじめ適度な変形量で変形させたものをカートリッジに組み込むようにしている。
【００１３】
しかしながら、公差を超えて大きく変形したバネ部材が誤ってカートリッジに組み込まれる場合が想定される。バネ部材は専用に梱包されて工程間を搬送されるので、搬送中に変形が生じることは考えにくいが、規定の形状を逸脱した不良品が製品に混入する場合は当然考えられる。この場合、当該規定外のバネ部材を誤ってカートリッジに組み込んでしまった場合、バネ部材が所定以上にリーダーブロックの収納部側へ突出することで、リーダーブロックが収納部に収納されなくなるおそれがある。
【００１４】
図１１は、リーダーブロック１０３の一側面に弾接する第２バネ部材１１２が規定外の形状を有することで、その弾接部１１２ａが収納部１０８側に過剰に突出した様子を示している。この場合、テープリール１０６に磁気テープ１１０を巻き取る際に、リーダーブロック１０３と第２バネ部材１１２が干渉して収納部１０８へのリーダーブロック１０３の適正な収納動作が阻害されることになる。
【００１５】
一方、バネ部材の収納部側への突出量を抑えてリーダーブロック１０３の適正な収納動作を確保するために、バネ部材の規定の変形量をあらかじめ小さく設定することは可能である。しかし、この場合、バネ部材に要求される所定の弾性力を安定して確保することが困難となるとともに、弾性力の調整範囲が制限されるという問題が発生する。
【００１６】
本発明は上述の問題に鑑みてなされ、リーダーブロックの適正な収納動作を確保でき、バネ部材の所要の弾性力を安定に確保することができるテープカートリッジを提供することを課題とする。
【課題を解決するための手段】
【００１７】
以上の課題を解決するに当たり、本発明のテープカートリッジは、上シェルと下シェルとを結合することにより形成されテープ引出し用の開口部を備えたカートリッジケースと、このカートリッジケース内に回転自在に収容されテープを巻装したテープリールと、カートリッジケース内方の収納部に上記開口部を閉塞するように配置され、テープリールに巻装されたテープの一端と接続されたリーダーブロックと、このリーダーブロックを上記収納部に着脱自在に保持するバネ部材とを備えたテープカートリッジであって、
バネ部材の上記収納部側への突出量を規制する規制手段を備えたことを特徴とする。
【００１８】
本発明では、バネ部材の収納部側への突出量を規制する規制手段を備えているので、変形量が過剰な規定外のバネ部材を誤って組み付けたとしても、当該バネ部材の収納部側への過剰な突出を制限でき、リーダーブロックの適正な収納動作を確保することができる。また、バネ部材の収納部側への突出量を制限できるので、バネ部材の弾性力の設計自由度を広げることが可能となるとともに、所定の弾性力を安定に確保することが可能となる。
【００１９】
また、本発明において、規制手段は、バネ部材の一部を構成する係合部と、カートリッジケースの内面に立設され上記係合部と係合して当該バネ部材の収納部側への突出量を規制する規制壁部とによって構成される。更に、バネ部材は、カートリッジケースの内面に固定される第１の端部と、上記係合部が形成される第２の端部と、第１，第２の端部の間に折り曲げ形成されてなり、上記収納部の内方に突出する弾接部とを有する構成とされる。この構成により、カートリッジの構成の複雑化を回避でき、生産性の低下も防止することが可能となる。
【発明の効果】
【００２０】
以上述べたように、本発明のテープカートリッジによれば、収納部へのバネ部材の過剰な突出を防止できるので、リーダーブロックの適正な収納動作を確保することができる。また、バネ部材の所要の弾性力を安定に確保することができる。
【発明を実施するための最良の形態】
【００２１】
以下、本発明の実施形態について図面を参照して説明する。以下の実施形態では、コンピュータのデータバックアップに使用されるデータストレージ用磁気テープカートリッジに対して、本発明を適用した例について説明する。
【００２２】
図１〜図３は本発明の実施形態によるテープカートリッジ１０を示している。ここで、図１はテープカートリッジ１０の全体斜視図、図２はテープカートリッジ１０の分解斜視図、図３はテープカートリッジ１０の内部構造を上シェルを取り外して見たときの平面図である。
【００２３】
本実施形態のテープカートリッジ１０は、例えばポリカーボネート樹脂等の合成樹脂材料からなる上シェル１１と下シェル１２とを複数本のネジ部材４０を用いて結合することによりカートリッジケース１３が形成され、このカートリッジケース１３内に、磁気テープ２０を巻装した単一のテープリール１４を回転可能に収容して構成されている。
【００２４】
テープリール１４は、端部に透明なリーダーテープ２１が接続された磁気テープ２０が磁性面を内向きにして巻装されるハブ１５Ａと、このハブ１５Ａの上端に接合された上フランジ１５Ｂと、ハブ１５Ａの下端に一体形成された下フランジ１５Ｃとを有している。
【００２５】
また、テープリール１４は、ハブ１５Ａの内周部に圧入固定されたリング状のベアリング１６を有し、そのベアリング１６を覆うベアリングキャップ１７と上シェル１１の内面中央部との間に設けられたリールスプリング１８によって下シェル１２側に押し付けられている。リールスプリング１８は、円筒状をなすコイルバネで構成されている。
【００２６】
また、テープリール１４の下面中央部には、記録再生装置のリール回転駆動軸に噛合するチャッキングギヤ（図示略）が環状に形成されており、当該チャッキングギヤが下シェル１２の中央部に形成された開口３０を介して外部へ露出されている。
【００２７】
テープカートリッジ１０は、その非使用時において、リールロックスプリング２３，２４によって付勢された一対のリールロック部材２５，２６により、テープリール１４が回転不可能とされている。即ち、テープリール１４は、その下フランジ１５Ｃの外周縁部に形成されたリールロックギヤ２７に、各リールロック部材２５，２６に形成された噛合部２５ａ，２６ａが噛み合うことによって回転不可能とされている。リールロックスプリング２３，２４及びリールロック部材２５，２６はそれぞれ、下シェル１２内面に立設された支持軸２８，２９に対して回転可能に取り付けられている。
【００２８】
また、この非使用時においては、磁気テープ２０はテープリール１４に完全に巻き取られた状態にある。リーダーテープ２１の先端部は、カートリッジケース１３の正面に形成されたテープ引出し用の開口部３５をカートリッジケース１３の内方側から閉塞するように配置されるリーダーブロック３２の一側面部にクランパ３６を介して接続されている。リーダーブロック３２は、後述するバネ部材４１，４２に弾性的に支持された状態で開口部３５内方の収納部３７に位置決めされている。
【００２９】
一方、記録再生装置にテープカートリッジ１０が装着された使用時においては、記録再生装置側の回転軸の上昇によりテープリール１４がカートリッジケース１３の厚さ方向略中央位置へ持ち上げられると共に、記録再生装置側のリールロック解除プラグがカートリッジケース１３のリールロック解除孔４３，４４（図３）へ挿入されることにより、リールロック部材２５，２６のロックが解除されてテープリール１４が回転可能な状態とされる。そして、記録再生装置側のチャッキング機構によってリーダーブロック３２が開口部３５から引き出され、磁気テープ２０がカートリッジピン２２に当接してガイド作用を受けながらカートリッジケース１３の外部へ繰り出される。
【００３０】
なお、このテープカートリッジ１０においては、磁気テープ２０への誤記録、誤消去を防止するためのセイフティタブ３３が設けられている。このセイフティタブ３３は、開口部３５の形成面とは反対側のカートリッジケース１３の背面にスライド自在に設けられている。また、カートリッジケース１３の背面内側には、非接触型のＩＣメモリを搭載したメモリ基板３４が収容され、記録再生装置側との通信によって、例えば磁気テープ２０に記録されている情報の読み出し又は情報の書き込みが行われるようになっている。
【００３１】
なおまた、本実施形態のテープカートリッジ１０において、記録再生装置側への挿入方向に関して垂直な方向に対向するカートリッジケース１３の側面部には、テープエンド検出用の透明な窓部材３８Ａ，３８Ｂがそれぞれ設けられている。
【００３２】
続いて、収納部３７におけるリーダーブロック３２の位置決め保持構造について説明する。図４は、リーダーブロック３２が収納部３７に収納された状態を示すテープカートリッジ１０の要部側断面図である。
【００３３】
リーダーブロック３２は、ポリアセタール（ＰＯＭ）等の合成樹脂材料からなり、その正面部分には記録再生装置のチャッキング機構が挿入される挿入部３２ａが設けられている。リーダーブロック３２の上面の後方側には、上シェル１１の内面に取り付けられた第１バネ部材４１の弾接部４１ｂが係合する係合溝３２ｂが形成されており、リーダーブロック３２の下面の後方側には、収納部３７の底部に形成された係合凸部３８が係合する係合溝３２ｃが形成されている。
【００３４】
第１バネ部材４１は、板状の金属バネ材をプレス加工により折り曲げ形成されてなるもので、ベース部４１ａと弾接部４１ｂとアーム部４１ｃを有している。ベース部４１ａは上シェル１１の内面の所定位置にカシメ部４５を介して固定され、弾接部４１ｂはアーム部４１ｃの先端部を図４に示すように折り曲げることで形成されている。
【００３５】
第２バネ部材４２もまた、第１バネ部材４１と同様に、板状の金属バネ材をプレス加工により折り曲げ加工されてなる。図５は第２バネ部材４２の全体を示しており、Ａは側面図、Ｂは平面図、Ｃは正面図である。第２バネ部材４２は、ベース部４２ａと、弾接部４２ｂと、アーム部４２ｃと、係合部４２ｄとを有している。
【００３６】
ベース部４２ａは、第２バネ部材４２の一方の端部（第１の端部）に形成されており、下シェル１２の内面の所定位置に固定される。ベース部４２ａには、下シェル１２のカシメ部４６と係合する係合孔４２ｅと、係合溝４２ｆがそれぞれ設けられている。弾接部４２ｂは、ベース部４２ａに連接された屈曲形状のアーム部４１ｃを所定位置でベース部４２ａ側（収納部３７側）に凸となる「く」の字状に折り曲げることで形成される。この弾接部４２ｂと第２バネ部材４２の他方の端部（第２の端部）４２ｇとの間は更にベース部４２ａ側とは反対側に折り曲げられることで、後述する係合部４２ｄが形成されている。
【００３７】
図６は、下シェル１２の収納部３７の形成領域を示す要部平面図、図７は、図６における［７］−［７］線方向断面図である。また、図８は、第２バネ部材４２を組み込んだ下シェル１２の収納部の形成領域を示す要部平面図であり、Ａはリーダーブロック３２の非収納状態を示し、Ｂはリーダーブロック３２の収納状態を示している。
【００３８】
図６に示すように、収納部３７は、上シェル１１と下シェル１２とを結合する複数のネジ部材４０（図１）のうちひとつが挿着されるネジ孔ボス部５０と、カートリッジピン２２（図２、図３）を支持するピン係合部５１との間の領域に形成されており、開口部３５の開口縁から下シェル１２の内方に向って延びる壁部３７ｗａ、３７ｗｂ、３７ｗｃ及び３７ｗｄと、壁部３７ｗｂ及び壁部３７ｗｄに連接され収納部３７の後端を規定する位置決め用壁部３７ｗｅとで区画される。なお、図示せずとも上シェル１１側にも、これら壁部３７ｗａ〜３７ｗｅに対応する壁部が設けられている。
【００３９】
また、収納部３７の底部には、リーダーブロック３２下面の係合溝３２ｃに係合する係合凸部３８と、これに隣接して、リーダーブロック３２の下面を支持するための支持凸部３９がそれぞれ形成されている。
【００４０】
位置決め用壁部３７ｗｅの後方側には、第２バネ部材４２のベース部４２ａが装着されるベース部固定領域５２が形成されている。このベース部固定領域５２には、カシメ部（軸）４６と位置決めリブ４７がそれぞれ形成されている。ベース部４２ａは、図８Ａに示すように、その係合孔４２ｅにカシメ部４６が挿通され、更に、その係合溝４２ｆに位置決めリブ４７が係合された状態において、カシメ部４６を熱カシメすることで、ベース部固定領域５２に固定される。
【００４１】
位置決め用壁部３７ｗｅは、ネジ孔ボス部５０側に端部３７ｓを有しており、この端部３７ｓには、所定の間隙をおいて、下シェル１２の側壁に連接して形成されている補助壁部３７ｔが対向している。また、ネジ孔ボス部５０に連接して収納部３７を区画する壁部３７ｗｄは、当該壁部３７ｗｄに隣接し開口部３５の開口縁を構成する壁部３７ｗｃよりも低く形成されている。
【００４２】
第２バネ部材４２は、図８Ａに示すように、そのアーム部４２ｃを位置決め用壁部３７ｗｅの端部３７ｓと補助壁部３７ｔとの間の隙間に挿通させ、弾接部４２ｂを低背の壁部３７ｗｄの上部から収納部３７側に突出させている。そして、この第２バネ部材４２の自由端（第２の端部）４２ｇは、壁部３７ｗｃよりもネジ孔ボス部５０側に位置されている。従って、第２バネ部材４２の係合部４２ｄと壁部３７ｗｃの縁部３７ｕとの係合作用によって、弾接部４２ｂの収納部３７側への突出量が規制されている。
【００４３】
なお、第２バネ部材４２の係合部４２ｄ及び壁部３７ｗｃの縁部３７ｕによって、本発明に係る「規制手段」が構成される。また、壁部３７ｗｃは、本発明に係る「規制壁部」に対応する。
【００４４】
以上のようにして、本実施形態のリーダーブロック３２の位置決め保持構造が構成される。本実施形態では、収納部３７において、リーダーブロック３２は、図４に示したように、その上面側の係合溝３２ｂに第１バネ部材４１の弾接部４１ｂが係合するとともに、下面側の係合溝３２ｃに係合凸部３８が係合することで、上下方向に弾性的に挟持される。また、このとき、リーダーブロック３２は、図８Ｂに示すように、第２バネ部材４２の弾接部４２ｂと壁部３７ｗｂとの間で水平方向に弾性的に挟持される。第２バネ部材４２の弾性力は、補助壁部３７ｔとの当接部を支点とするアーム部４２ｃの弾性変形によって発現される。
【００４５】
テープカートリッジ１０の使用時、リーダーブロック３２は、その挿入部３２ａに記録再生装置内のチャッキング機構が挿入された後、収納部３７における第１，第２バネ部材４１，４２による弾性保持力に抗して開口部３５から引き出される。これにより、テープリール１４から磁気テープ２０が繰り出され、記録再生装置内の磁気ヘッドによって所定の記録再生動作が行われる。
【００４６】
一方、リーダーブロック３２が引き出された状態では、第２バネ部材４２の弾接部４２ｂはアーム部４２ｃの弾性力によって収納部３７側へ突出するが、図８Ａに示すように、第２バネ部材４２の係合部４２ｄが壁部３７ｗｃの縁部３７ｕに係合することによって、収納部３７側への弾接部４２ｂの突出量が規制される。これにより、第２バネ部材４２の弾接部４２が収納部３７側へ過剰に突出することが防止されるので、磁気テープ２０をテープリール１４に巻き取ってリーダーブロック３２を収納部３７へ収納させる際、第２バネ部材３２の弾接部３２ｂがリーダーブロック３２の収納部３７への進入を阻害することはない。
【００４７】
従って、本実施形態によれば、リーダーブロック３２の一側面部に弾接する第２バネ部材４２の収納部３７側への突出量を規制する規制手段（４２ｄ，３７ｕ）を備えているので、変形量が過剰な規定外のバネ部材を誤って組み付けたとしても、当該バネ部材４２の弾接部４２ｂの収納部３７側への過剰な突出を制限でき、これによりリーダーブロック３２の適正な収納動作を確保することができる。
【００４８】
なお、収納部３７においてリーダーブロック３２の上面側に弾接する第１バネ部材４１に関しては、図４に示したように、アーム部４１ｃがベース部４１ａから弾接部４１ｂにかけて収納部３７の後方側に向って延在している。従って、弾接部４１ｂの収納部３７側への突出量が過剰な場合であっても、リーダーブロック３２が収納部３７へ収納される際に、弾接部４１ｂとリーダーブロック３２との当接によりアーム部４１ｃが容易に上方側へ弾性変形するので、リーダーブロック３２の収納部３７への進入を阻害することはなく適正な収納動作を確保することができる。
【００４９】
また、本実施形態によれば、第２バネ部材４２の収納部３７側への突出量を制限することができるので、この第２バネ部材４２の弾性力の設計自由度を広げることが可能となるとともに、所定の弾性力を安定に確保することが可能となる。
【００５０】
更に、本実施形態においては、第２バネ部材４２の係合部４２ｄと、下シェル１２の規制壁部３７ｗｃ（壁部３７ｗｃの縁部３７ｕ）とによって、第２バネ部材４２の弾接部４２ｂの収納部３７側への所定以上の突出を規制する規制手段を構成したので、テープカートリッジ１０の構成の複雑化、生産性の低下を防止できる。これにより、リーダーブロック３２の収納部３７への適正な収納動作を確保して、テープカートリッジ１０の信頼性を維持することができる。
【００５１】
以上、本発明の実施形態について説明したが、勿論、本発明はこれに限定されることはなく、本発明の技術的思想に基づいて種々の変形が可能である。
【００５２】
例えば以上の実施形態では、リーダーブロック３２の一側面部側に弾接する第２バネ部材４２に対して弾接部４２ｂの突出量の規制手段を構成したが、これに加えて、第１バネ部材４１側にも弾接部４１ｂの突出量の規制手段を構成してもよい。
【００５３】
また、以上の実施形態では、第１，第２の２つのバネ部材４１，４２でリーダーブロック３２の位置決め保持構造を構成したテープカートリッジ１０を例に挙げて説明したが、これに代えて、単一のバネ部材を用いてリーダーブロックの位置決め保持構造を構成するテープカートリッジにも、本発明は適用可能である。
【００５４】
更に、以上の実施形態では、テープ状記録媒体（磁気テープ）２０を収容したテープカートリッジ１０に本発明を適用した例について説明したが、記録再生装置の磁気ヘッドをクリーニングするためのテープカートリッジについても、本発明は適用可能である。
【図面の簡単な説明】
【００５５】
【図１】本発明の実施形態によるテープカートリッジの全体斜視図である。
【図２】本発明の実施形態によるテープカートリッジの分解斜視図である。
【図３】本発明の実施形態によるテープカートリッジの内部構造を上シェルを取り外して見たときの平面図である。
【図４】図１に示したテープカートリッジにおけるリーダーブロックの位置決め保持構造を示す断面図である。
【図５】図４に示したリーダーブロックの位置決め保持構造を構成する第２バネ部材の全体を示す側面図、平面図及び正面図である。
【図６】図１に示したテープカートリッジにおける下シェルのリーダーブロック収納部の構成を示す平面図である。
【図７】図６における［７］−［７］線方向断面図である。
【図８】図６に示したテープカートリッジのリーダーブロック収納部に第２バネ部材を取り付けた状態を示す平面図であり、Ａはリーダーブロックが収納されていない状態を示し、Ｂはリーダーブロックが収納されている状態を示している。
【図９】従来のテープカートリッジにおけるリーダーブロック収納部の内部構造を示す平面図である。
【図１０】従来のテープカートリッジにおけるリーダーブロック収納部の内部構造を示す平面図である。
【図１１】従来技術の問題点を説明する従来のテープカートリッジにおけるリーダーブロック収納部の平面図である。
【符号の説明】
【００５６】
１０…テープカートリッジ、１１…上シェル、１２…下シェル、１３…テープカートリッジ、１４…テープリール、２０…磁気テープ、３２…リーダーブロック、３５…開口部、３７…収納部、４１…第１バネ部材、４２…第２バネ部材、４２ａ…ベース部、４２ｂ…弾接部、４２ｃ…アーム部、４２ｄ…係合部、３７ｗｃ…壁部（規制壁部）、３７ｕ…縁部
【図１】
2008140470.tif 000003
【図２】
2008140470.tif 000004
【図３】
2008140470.tif 000005
【図４】
2008140470.tif 000006
【図５】
2008140470.tif 000007
【図６】
2008140470.tif 000008
【図７】
2008140470.tif 000009
【図８】
2008140470.tif 000010
【図９】
2008140470.tif 000011
【図１０】
2008140470.tif 000012
【図１１】
2008140470.tif 000013